(57)【要約】【課題】相手側の端子金具との接触部分を、当該部分により近い位置で支持することができる電気コネクタを提供する。【解決手段】ハウジングと、ハウジングに取り付けられる略板状体を含む電源端子と、を備える。略板状体は、相手ハウジングとハウジングの接続時に、厚み方向における対向面にて相手ハウジングに設けた相手端子と接触するように構成されている。略板状体は、幅方向における端部領域のうち、幅方向に延びる帯領域に含まれる少なくともいずれかの部分においてハウジングによって支持されており、帯領域は、略板状体と相手端子との接触部分と、接触方向に沿う方向において同じ位置に配置され、且つ、接触方向に沿う方向において接触部分と同じ長さを有する。【選択図】図１２
2018206502.tif 000002
【特許請求の範囲】
【請求項１】
相手コネクタの相手ハウジングと接続されるハウジングと、
前記ハウジングに取り付けられる略板状体を含む電源端子と、
を備え、
前記略板状体は、厚み方向と、前記厚み方向と直交する幅方向と、前記厚み方向と前記幅方向の双方と直交する、前記相手端子との接触方向に沿う方向を有し、
前記略板状体は、前記相手ハウジングと前記ハウジングの接続時に、前記厚み方向における対向面にて前記相手ハウジングに設けた相手端子と接触するように構成されており、
前記略板状体は、前記幅方向における端部のうち、前記幅方向に延びる帯領域に含まれる少なくともいずれかの部分において前記ハウジングによって支持されており、
前記帯領域は、前記略板状体と前記相手端子との接触部分と、前記接触方向に沿う方向において同じ位置に配置され、且つ、前記接触方向に沿う方向において前記接触部分と同じ長さを有すること、を特徴とする電気コネクタ。
【請求項２】
前記少なくともいずれかの部分は、少なくとも、前記略板状体の前記厚み方向に沿う板厚面において前記ハウジングによって支持されている、請求項１に記載の電気コネクタ。
【請求項３】
前記少なくともいずれかの部分と、前記ハウジングによって支持される他の被支持部は、前記接触方向に沿う方向と前記幅方向の双方に関して対向して位置付けられている、請求項１又は２に記載の電気コネクタ。
【請求項４】
前記他の被支持部は、少なくとも前記幅方向において弾性変位可能とされた弾性支持部によって支持されている、請求項３に記載の電気コネクタ。
【請求項５】
前記他の被支持部は、前記少なくともいずれかの部分に対して、前記相手端子との接触側とは前記接触方向に沿う方向において反対側に位置する、請求項４に記載の電気コネクタ。
【請求項６】
前記略板状体は、前記少なくともいずれかの部分よりも前記接触方向に沿う方向において前記相手端子との接触側に更に延びる部分を有する、請求項３乃至５のいずれかに記載の電気コネクタ。
【請求項７】
前記略板状体は、板と板の間に空間を形成しつつ金属板を折り重ねることにより、前記厚み方向において多重構造とされている、請求項１乃至６のいずれかに記載の電気コネクタ。
【請求項８】
前記相手コネクタと請求項１乃至７のいずれかに記載の電気コネクタとの組から成るコネクタ装置。
【発明の詳細な説明】
【技術分野】
【０００１】
本発明は、厚み方向における対向面にて相手ハウジングに設けた相手端子と接触し得る端子を備える電気コネクタに関する。
【背景技術】
【０００２】
特許文献１（特開２００４−４７１７１号公報）に、このタイプの電気コネクタの一例が示されている。
この電気コネクタは、端子金具と、端子金具が固定されるコネクタハウジングを含む。端子金具は、前後方向に細長く、前端側から順に、プラグタブ部と、ランスが形成されるランス形成部と、電線の端末部に圧着接続されるバレル部とをこれらの順に有する。これらの部分のうち、ランス形成部とバレル部は、ハウジングによって固定され、相手側の端子金具と接続されるプラグタブ部は、ハウジングによって片持ち梁状に支持されている。
【先行技術文献】
【特許文献】
【０００３】
【特許文献１】特開２００４−４７１７１号公報
【発明の概要】
【発明が解決しようとする課題】
【０００４】
明らかなように、相手側の端子金具との接続時には、プラグタブ部、換言すれば、相手側の端子金具と接続される部分に大きな力が加わることになるが、特に、このような部分が、厚み方向における対向面にて相手側の相手端子と接触し得る場合、更に言えば、端子の片側がハウジング等によって支持されていない場合には、端子金具が座屈してしまう危険が大きいといった問題がある。この問題を軽減するには、当該接続される部分により近い位置で、プラグタブ部をハウジングによって固定するのが好ましい。
【０００５】
しかしながら、上記の特許文献の構成では、プラグタブ部は、相手側の端子金具との接触方向においては、プラグタブ部と何ら重複しない部分においてのみ、ハウジングによって固定される構造となっている。
【０００６】
本願発明はこのような従来技術における問題点を解決するためになされたものであり、相手側の端子金具との接触部分を、当該部分により近い位置で支持することができる電気コネクタを提供することを目的とする。
【課題を解決するための手段】
【０００７】
上記の課題を解決するため、本発明の一態様による電気コネクタは、相手コネクタの相手ハウジングと接続されるハウジングと、前記ハウジングに取り付けられる略板状体を含む電源端子と、を備え、前記略板状体は、厚み方向と、前記厚み方向と直交する幅方向と、前記厚み方向と前記幅方向の双方と直交する、前記相手端子との接触方向に沿う方向を有し、前記略板状体は、前記相手ハウジングと前記ハウジングの接続時に、前記厚み方向における対向面にて前記相手ハウジングに設けた相手端子と接触するように構成されており、前記略板状体は、前記幅方向における端部のうち、前記幅方向に延びる帯領域に含まれる少なくともいずれかの部分において前記ハウジングによって支持されており、前記帯領域は、前記略板状体と前記相手端子との接触部分と、前記接触方向に沿う方向において同じ位置に配置され、且つ、前記接触方向に沿う方向において前記接触部分と同じ長さを有することを特徴として有する。
この態様の電気コネクタによれば、相手端子と接触する部分である略板状体の幅方向における端部領域のうち、略板状体と相手端子との接触部分、即ち、略板状体と相手端子との接触時に大きな力を加わる部分を、当該部分に近い位置で支持することができるため、接触方向においてずれた位置で当該部分を支持する従来の構成に比べて、より安定した状態で、略板状体をハウジングによって支持することができる。更に、この構成を、特に、電源端子に応用することにより、幅方向にもある程度の大きさを有する略板状体を通じて放熱効果を高めることができ、また、相手端子との接触領域を大きくして、過熱の問題を軽減することもできる。
【０００８】
上記態様の電気コネクタにおいて、前記少なくともいずれかの部分は、少なくとも、前記略板状体の前記厚み方向に沿う板厚面において前記ハウジングによって支持されているのが好ましい。
この態様の電気コネクタによれば、板圧面を支持することにより、例えば、厚み方向における対向面だけを支持する場合に比べて、特に接触方向における固定及び位置決めをより確実に行うことができる。
【０００９】
また、上記態様の電気コネクタにおいて、前記少なくともいずれかの部分と、前記ハウジングによって支持される他の被支持部は、前記接触方向に沿う方向と前記幅方向の双方に関して対向して位置付けられているのが好ましい。
この態様の電気コネクタによれば、対角部分で略板状体を支持することにより、より安定した状態で、略板状体をハウジングによって固定し且つ位置決めすることができる。
【００１０】
更にまた、上記態様の電気コネクタにおいて、前記他の被支持部は、少なくとも前記幅方向において弾性変位可能とされた弾性支持部によって支持されているのが好ましい。
この態様の電気コネクタによれば、弾性支持することにより、ハウジングとの間のガタを減らし、略板状体をハウジングの所定位置により確実に位置決めすることができる。
【００１１】
また、上記態様の電気コネクタにおいて、前記他の被支持部は、前記少なくともいずれかの部分に対して、前記相手端子との接触側とは前記接触方向に沿う方向において反対側に位置するのが好ましい。
この態様の電気コネクタによれば、この構成によれば、略板状体と弾性支持部との衝突を通じて弾性支持部を幅方向に変位させることができるため、略板状体を接触方向に移動させるだけで、略板状体をハウジングに容易に取り付けることができる。
【００１２】
また、上記態様の電気コネクタにおいて、前記略板状体は、前記少なくともいずれかの部分よりも前記接触方向に沿う方向において前記相手端子との接触側に更に延びる部分を有するのが好ましい。
この態様の電気コネクタによれば、相手端子との有効嵌合長をより長く設定することができる。
【００１３】
更にまた、上記態様の電気コネクタにおいて、前記略板状体は、板と板の間に空間を形成しつつ金属板を折り重ねることにより、前記厚み方向において多重構造とされているのが好ましい。
この態様の電気コネクタによれば、多重構造とすることにより、略板状体の強度を確保し、また、相手端子との接触幅を調整することができることから相手端子との接触をより確実に行うことができる。更に、金属板を折り重ねる際に板と板の間に空間を形成することにより、放熱効果を大幅に高めることができ、略板状体における過熱の問題を効果的に軽減することができる。
また、上記態様の電気コネクタにおいて、前記相手コネクタと上記いずれかに記載の電気コネクタとを組み合わせてコネクタ装置としてもよい。
【発明の効果】
【００１４】
本願発明によれば、相手側の端子金具との接触部分を、当該部分により近い位置で支持することができる電気コネクタが提供される。
【図面の簡単な説明】
【００１５】
【図１】本発明のケーブルコネクタ装置の斜視図である。
【図２】レセプタクルコネクタの分解斜視図である。
【図３】図１のIII−III線断面図である。
【図４】ハウジングの後方斜視図を、周辺部材である蓋部材とともに示す図である。
【図５】組立工程の一例を示す斜視図である。
【図６】組立工程の一例を示す一部破断斜視図である。
【図７】プラグコネクタの分解斜視図である。
【図８】雌コネクタの電源端子の斜視図である。
【図９】雄コネクタの電源端子の斜視図である。
【図１０】（ａ）は、雄コネクタの平面図、（ｂ）は、その正面図である。
【図１１】図１０の（ａ）における１１−１１線断面図である。
【図１２】図１０の（ｂ）における１２−１２線の概略断面斜視図である。
【図１３】図１０の（ｂ）における１３−１３断面図である。
【発明を実施するための形態】
【００１６】
添付図面を参照しつつ、本発明の好適な一つの実施形態によるケーブルコネクタとケーブルコネクタ装置について説明する。尚、ケーブルタイプの電気コネクタを例に挙げて説明するが、本発明は、電気コネクタ以外の様々なタイプのケーブルコネクタ装置に適用され得る。
【００１７】
図１に、本発明のケーブルコネクタ装置１の斜視図を示す。このケーブルコネクタ装置１は、レセプタクルコネクタ２とプラグコネクタ６から成る。
【００１８】
レセプタクルコネクタ２は、電気ケーブル３の一端に接続され得る、ケーブルコネクタとして使用される。一方、プラグコネクタ６は、螺子９２その他を利用してモータその他の装置の筐体（図示されていない）の表面に設置され得る、基板コネクタとして使用される。両者は、嵌合方向（図示矢印「α」方向）に接近させることによって互いに嵌合させることができる。図１は、レセプタクルコネクタ２とプラグコネクタ６の嵌合前の状態を示したものである。尚、ケーブルを２本用いるタイプを示しているが、ケーブルを１本としてもよいし、３本以上としてもよい。
【００１９】
レセプタクルコネクタ２とプラグコネクタ６を嵌合させたときに、それらの嵌合状態を維持するため、レセプタクルコネクタ２をプラグコネクタ６に係止させることができる。係止を可能とするため、レセプタクルコネクタ２のハウジング２０にアーム部２８が、プラグコネクタ６のハウジング６０に係止部材６４が、それぞれ設けられている。
【００２０】
アーム部２８は、貫通穴２８ｃを利用して、ハウジング２０の側面中央付近に設けた回転軸２２によって軸支されている。アーム部２８は、この回転軸２２を中心に、図示矢印「Ｙ」方向に略０°〜９０°の範囲で回動可能である。図１に示すように略０°の位置にアーム部２８が存在するとき、アーム部２８に設けた溝２８ｄに、プラグコネクタ６の係止部材６４に設けた張出部６４ａが引っ掛かり、この結果、レセプタクルコネクタ２のアーム部２８は、プラグコネクタ６のハウジング６０に固定され、レセプタクルコネクタ２はプラグコネクタ６に対して係止される。
【００２１】
図２に、レセプタクルコネクタ２の分解斜視図を示し、更に、図３に、図１のIII−III線断面図を示す。レセプタクルコネクタ２は、略左右対称形状を成しており、主として、アーム部２８を設けたハウジング２０と、ハウジング２０の後側に螺子３５等を利用して固定される閉塞部材３０と、閉塞部材３０の後側に電気ケーブルを固定することができるように取り付けられるクランプ３４及びクランプ部材３２と、ハウジング２０の底側、即ち、レセプタクルコネクタ２とプラグコネクタ６の嵌合側に設けられる端子構造体３９を含む。図４は、ハウジング２０の後方斜視図を、周辺部材である蓋部材２７とともに示したものである。
【００２２】
ハウジング２０は、導電性材料で形成されている。導電性材料で形成することにより、シールド効果を付加することができる。導電材材料としては、金属板であってもよいし、樹脂材料に金属メッキを施してもよい。
【００２３】
ハウジング２０は、全体として略箱形状の本体２１を有する。本体２１には、ケーブルの軸線方向「β」に沿って延びる長さ部分２１Ｂと、長さ部分２１Ｂの前側においてケーブルの断面方向に延びる前壁部分２１Ａと、長さ部分２１Ｂの後側において幅方向「γ」に広がる拡径部分２１Ｃが含まれ、側面視略Ｌ字状に形成されている。垂直部分２１Ａと長さ部分２１Ｂの間を滑らかな曲面で繋いでいるのは、操作レバー４０の回転を考慮したものである。
【００２４】
本体２１は、筒状に形成されている。更に言えば、Ｌ字の一方の端部２３Ａ（図３参照）、更に言えば、拡径部分２１Ｃの後側と、Ｌ字の他方の端部２３Ｂ（図３参照）、更に言えば、前壁部分２１Ａの底側との間に、ケーブル３（図１参照）を貫通させることができる貫通孔が形成されている。貫通孔の一方の端部２３Ａは、挿通口２５を通じてプラグコネクタ６側に開放され、貫通孔の他方の端部２３Ｂは、開口２９（図３参照）によってケーブル３側に開放されている。他方の端部２３Ｂ側には、端子構造体３９が配置される。筒状としたことにより、容易に密閉構造とすることができ、防水機能を付加することができる。
【００２５】
本体ハウジング２０の前壁部分２１Ａに、本体ハウジング２０に対するアーム部２８の自由な回動を規制する引っ掛け部２４が設けられている。アーム部２８が、図１に示す略０°の位置に存在するとき、アーム部２８の一部（被係止部２８ｂ）が引っ掛け部２４に引っ掛かり、本体ハウジング２０に対するアーム部２８の不要な回動を防止することができる。
【００２６】
本体２１の拡径部分２１Ｃの後側に、ケーブル３の長さ方向「β」に沿って挿通口２５と連続させた状態で、ハウジング２０の外部に延びるケーブル支持部２６が設けられている。ケーブル支持部２６を設けたことにより、ケーブル支持部２６によって案内しつつ、本体２１の内部へと、ケーブル３を容易に取り込むことができる。ケーブル支持部２６の断面は略半円状とされており、その内周面２６ｂは、ケーブルの外周面に合わせて弧状とされている。これにより、ケーブルとの接触面積を増やして、ケーブルをより確実に且つ安定した状態で支持することができる。
【００２７】
ケーブル支持部２６は挿通口２５から連続した状態で外部に延びていれば足りるが、更に、ケーブル支持部２６の一部２６ａを、挿通口２５を通じて本体２１の内部と連続状態で設けられているのが好ましい。ケーブル支持部２６を、挿通口２５の外側だけでなく、本体２１の内部から連続した状態で設けることにより、ケーブルの支持をよりスムーズに行うことができる。
【００２８】
ケーブル支持部２６の内径は、ケーブルに合わせて略一定とされているが、一方、その外径は、前方から後方に向かって小さくなるように設定されている。このような径の差を利用してテーパーを形成することにより、ケーブル支持部２６は、閉塞部材３０等と協働して、ケーブルに対する圧接部材としても機能し得る。
【００２９】
ケーブル支持部２６は、本体ハウジング２０と一体成形されてもよい。一体成形することにより、製造が容易となり、製造コストを削減することができる。但し、必ずしも一体成形する必要はなく、本体ハウジング２０とは別体として、本体ハウジング２０に対して取り付け、取り外し可能な構造としてもよい。
【００３０】
ケーブル支持部２６は、ケーブルの断面方向「α−γ」、例えば、その上側にて、ケーブルがケーブル支持部２６に容易にアクセスすることができるように開放されている。この構成によれば、ケーブル支持部２６の開放側を通じてケーブルをケーブル支持部２６に容易にアクセスさせることができる。
【００３１】
ケーブル支持部２６の開放側は、蓋部材２７を利用して閉じることができる。図５に、ケーブル支持部２６に蓋部材２７を取り付けて開放側を閉じた組立工程の一例を斜視図で示す。蓋部材２７を設けることにより、レセプタクルコネクタ２への、水、粉塵、その他の汚染物の侵入を効果的に防ぐことができる。また、ケーブル支持部２６の強度を高めることができる。
【００３２】
蓋部材２７は、鍔部２７ａと、鍔部２７ａ同士を繋ぐ連結部２７ｂを含む。鍔部２７ａは、それぞれが略半円状の断面形状を有し、ケーブル支持部２６の内周面２６ｂと同様に、ケーブルの形状に適合するよう、鍔部２７ａの内周面は、ケーブルの外周面に合わせて弧状とされている。
【００３３】
ケーブル支持部２６と蓋部材２７は、ハウジング２０と同様に、導電性材料で形成するのが好ましい。導電性材料で形成することにより、シールド効果を付加することができる。
【００３４】
図３の断面図に示されるように、ケーブル支持部２６の開放側を蓋部材２７で閉じたとき、鍔部２７ａ及び連結部２７ｂの前面２７ｈは、ハウジング２０の拡径部分２１Ｃに設けた環状突出部２１ｆの上側端面２１ｈに突き当てられる。これらケーブル支持部２６と蓋部材２７を内包させた状態で、ハウジング２０に閉塞部材３０を取り付ける。閉塞部材３０は、矩形の本体３０ａと、矩形本体３０ａから後方に延びる２本の筒部３０ｂを含む。矩形本体３０ａは、その前面３０ｇにて、ハウジング２０の拡径部分２１Ｃの後面２１ｅに突き合わされる。矩形本体３０ａの前面３０ｇには、拡径部分２１Ｃの後面２１ｅとの間にパッキン３６を配置する隙間を形成するためのテーパー３０ｈが設けられている。また、筒部３０ｂの先端には、クランプ部材３２の所定部分（３２ｃ）と適合する切欠３０ｄを有した縁３０ｃが設けられている。
【００３５】
閉塞部材３０は、その前面３０ｇにおいて、ハウジング２０の後面２１ｅに密着状態で固定され、ケーブルの取出部分を残して、ハウジング２０の挿通口２５を閉じる。ハウジング２０に対しては、矩形本体３０ａの四隅に設けた螺子穴３０ｄ等を利用して固定することができる。矩形本体３０ａの中央には、ケーブルを挿通させるための貫通穴３０ｅが設けられている。ケーブルは、この貫通穴３０ｅと、閉塞部材３０の筒部３０ｂを通じて、外部に取り出される。筒部３０ｂの外周には、クランプ３４と螺合させるために螺子が切られている。
【００３６】
防水機能を高めるため、閉塞部材３０とハウジング２０の間に、パッキン３６を設けるのが好ましい。パッキン３６は、ハウジング２０の拡径部分２１Ｃの後面２１ｅに設けた略楕円状の環状突出部２１ｆに取り付ける。環状突出部２１ｆは、後面２１ｅから後方に向かって周状に突出しており、その外周面に、パッキン３６を位置決めする溝２１ｇを有する。環状突出部２１ｆの、特に、下側の一部は、ケーブル支持部２６の外周面を形成する部分にもなっている。
【００３７】
図６は、図５に示す構成に、ガスケット３１及びクランプ部材３２、更に、クランプ３４を取り付けた状態を一部破断斜視図として示したものである。
図６や図３によく示されるように、クランプ３４は筒状の部材であって、その内周には、閉塞部材３０の筒部３０ｂに対応して螺子が切られている。クランプ部材３２は、環状の本体３２ａと、本体３２ａの後側に突出した複数、ここでは４個のクランプ片３２ｂと、本体３２ａから前側に突出した複数、ここでは２個の弧状の縁３２ｃを含む。
【００３８】
ケーブル３は、その先端３ｂを蓋部材２７の弧状の内部フランジ２７ｄに付き当てられた状態で、且つ、その先端から外部に露出させた編組３ａをケーブル３のケーブル３の外被に軸線方向「β」に沿って沿わせた状態で、ケーブル支持部２６に配置される。
【００３９】
ガスケット３１は、ケーブル３の外周に密着させた状態で、且つ、ケーブル支持部２６の後端面２６ｃと蓋部材２７の後端面２７ｃの双方にケーブル３の軸線方向「β」に沿って突き当てられた状態で、閉塞部材３０の筒部３０ｂとクランプ３４とによって圧縮状態で内包される。
【００４０】
クランプ部材３２は、前側に突出した弧状の縁３２ｃの内部にガスケット３１の一部を収容させた状態で、前側に突出させた縁３２ｃを、閉塞部材３０の筒部３０ｂに設けた切欠３０ｄと嵌め合わせ、且つ、ケーブル３の軸線方向「β」に沿ってガスケット３１に対して突き当てられた状態で、クランプ３４に内包される。
【００４１】
クランプ３４を閉塞部材３０の筒部３０ｂに螺子込んだとき、クランプ部材３４のクランプ片３２ｂの外周面３２ｄと、クランプ３４の内周面３４ａとの接触を通じて、クランプ片３２ｂは、ケーブル３の外被に圧接され、クランプ３４は、ケーブル３に対して固定される。クランプ片３２ｂが螺子込みに伴ってケーブル３に対して圧接されるように、クランプ片３２ｂの外周面３２ｄとクランプ３４の内周面３４ａの径は調整され、テーパー状の断面が形成されている。
【００４２】
また、クランプ３４は、閉塞部材３０とともに、ケーブル支持部２６と蓋部材２７を断面方「α−γ」において互いに圧接させる圧接部材として機能する。クランプ３４を閉塞部材３０に螺子込んだとき、蓋部材２７の鍔部２７ａの外周面２７ｇと、閉塞部材３０の筒部３０ｂの内周面３０ｆとの接触を通じて、鍔部２７ａは、ハウジング２０のケーブル支持部２６に向かって押し付けられる、換言すれば、クランプ３４と閉塞部材３０とを利用して、ケーブル支持部２６と蓋部材２７は互いに圧接される。この結果、ケーブル３をハウジング２０により強固に固定することができる。螺子込みに伴って圧接されるように、鍔部２７ａの外周面２７ｇ及びケーブル支持部２６の外周面２６ｆと筒部３０ｂの内周面３０ｆの径は調整され、テーパー状の断面が形成されている。鍔部２７ａの後端側の内周面の一部２７ｅは、ケーブルに対する接触をより強固にするために中心側に突出している。
【００４３】
再び図２を参照して、端子構造体３９の構成を説明する。端子構造体３９は、主に、電源端子５０及び信号端子５９と、電源端子５０を位置決めし且つ固定する電源ハウジングユニット４０Ａと、信号端子５９を位置決めし且つ固定する信号ハウジングユニット４０Ｂと、電源ハウジングユニット４０Ａと信号ハウジングユニット４０Ｂを並列に支持する枠体４４と、電源端子５０と信号端子５９との間を遮蔽するシールド板４２と、更に、シールド板４２と枠体４４を電気的に接続するアース部材４３を含む。
【００４４】
電源ハウジングユニット４０Ａと信号ハウジングユニット４０Ｂは、樹脂等の絶縁材から形成されており、枠体４４は、シールド板４２やアース部材４３と同様に、導電性材料で形成されている。
【００４５】
電源端子５０と信号端子５９は、ケーブル３の先端に取り付けた状態で使用する。取り付けは、ケーブル３を本体２１に貫通させた状態で行う。ケーブル３に各端子５０、５９を取り付けるため、本体２１を貫通させたケーブル３を、本体２１に設けた開口２９（図４参照）から若干飛出し気味にしておき、各端子５０、５９を、電源ハウジングユニット４０Ａの端子孔４１Ａ、及び、信号ハウジングユニット４０Ｂの端子孔４１Ｂにそれぞれ取り付け、後述するシールド金具４２が装着された枠体４４に取り付けた後にケーブル３を再びハウジング２０に戻して、固定する。このように、例えば、ケーブル３を本体２１に貫通させた状態でケーブル３の先端側に端子５０、５９を設ける必要がある場合であっても、ケーブル支持部２６を利用してケーブル３を本体２１から出し入れすることにより、端子５０、５９や電源ハウジング４０Ａと信号ハウジング４０Ｂの絶縁ハウジング等の端子構造体３９をケーブル３に容易に取り付け、本体２１に収容することができる。
【００４６】
枠体４４は、平面視略矩形状である。枠体４４の開口４４ｂには、電源ハウジング４０Ａ及び信号ハウジング４０Ｂが挿入され、設置される。
【００４７】
シールド板４２は、金属板を打ち抜き、折り曲げることによって形成されている。シールド板４２は、枠体４４に設置された電源ハウジング４０Ａと信号ハウジング４０Ｂの間に配置される。シールド板４２は、電源ハウジング４０Ａと信号ハウジング４０Ｂの上部を跨いで配置されるアース部材４３と接続され、更に、シールド板４２の側面に設けた舌片４２ａは、スリット２７ｆに挿入固定されて電気的に接続される。アース部材４３を介して枠体４４に電気的に接続される。シールド板３２の前板４２ｂに設けた舌片４２ｃは、枠体４４の前側内壁４４ａと接続され、枠体４４と導通する。また、シールド板４２を設けることにより、ハウジング２０の本体２１の内部において、電源端子５０に接続されたケーブルと、信号端子５９に接続されたケーブルとを、電気的に遮蔽することができる。
【００４８】
図７を参照して、プラグコネクタ６の構造を説明する。図７は、プラグコネクタ６の分解斜視図である。プラグコネクタ６は、アーム部２８が係止される係止部材６４を設けたハウジング６０と、ハウジング６０に挿入され設置される各種ハウジング、即ち、電源ハウジング７０Ａ及び信号ハウジング７０Ｂと、電源ハウジング７０Ａに固定される２種類の端子、即ち、アース端子９１及び電源端子８０と、信号ハウジング７０Ｂに固定される信号端子９０を含む。
【００４９】
ハウジング６０は、レセプタクルコネクタ２のハウジング２０ハウジング２０と同様に、導電性材料で形成されている。プラグコネクタ６のハウジング６０とレセプタクルコネクタ２のハウジング２０が嵌合した際、ハウジング６０とハウジング２０は導通される。導電材材料としては、金属板であってもよいし、樹脂材料に金属メッキを施してもよい。
【００５０】
ハウジング６０は、主に、装置の筐体等にパッキン９９Ｂを介して固定される本体６１と、係止部材６４とともに本体６１から垂直方向に延びる枠体６５から成る。
【００５１】
枠体６５は、螺子穴６１ａを利用して筐体等に固定することが可能である。枠体６５には、プラグコネクタ６とレセプタクルコネクタ２との嵌合側から電源ハウジング７０Ａが挿入され、設置される開口６２と、信号ハウジング７０Ｂが挿入され、設置される開口６３とが、相隣り合って配置されている。枠体６５の内壁には電源ハウジング７０Ａが開口６２に挿入されたときに、電源ハウジング７０Ａの弾性係止片７３Ａが係止される被係止片６２ａが設けられている。枠体６５には、パッキン９９Ａを嵌める環状の窪み６５ａを設けてもよい。パッキン９９Ａは、プラグコネクタ６のハウジング６０とレセプタクルコネクタ２のハウジング２０が嵌合したときに、ハウジング６０の枠体６５と、ハウジング２０の開口２９（図４参照）との間に生じ得る隙間を埋める。
【００５２】
電源ハウジング７０Ａと信号ハウジング７０Ｂは、樹脂等の絶縁材から形成されており、枠体４４は、シールド板４２やアース部材４３と同様に、導電性材料で形成されている。
【００５３】
電源ハウジング７０Ａには、アース端子９１が固定される端子孔７１Ａと、電源端子８０が固定される端子孔７２Ａが設けられている。アース端子９１は、プラグコネクタ６とレセプタクルコネクタ２との嵌合側から、一方、電源端子８０は、プラグコネクタ６とレセプタクルコネクタ２との嵌合側とは反対側から、それぞれの孔に固定される。
信号ハウジング７０Ｂには、信号端子９０が固定される端子孔７１Ｂが設けられている。信号端子９０は、電源端子８０と同様に、プラグコネクタ６とレセプタクルコネクタ２との嵌合側とは反対側から、それぞれの孔に固定される。
【００５４】
図８に、レセプタクルコネクタ２の電源端子５０の斜視図を示す。電源端子５０は、金属板を打ち抜き、折り曲げることによって形成される。電源端子５０は、丸みを帯びた小径の本体部５１と、本体部５１に対してプラグコネクタ６とレセプタクルコネクタ２との嵌合側に形成された接触部５３と、更に、本体部５１に対して接触部５３とは反対側、即ち、プラグコネクタ６とレセプタクルコネクタ２との嵌合側とは反対側に形成された大径部５２を含む。図面からは明らかでないが、本体部５１は、ケーブルの芯線と接続される部分、一方、大径部５２は、ケーブルの外被に圧着させる部分として、それぞれ使用される。
【００５５】
接触部５３は、相手端子である電源端子８０との接触方向「α１」に沿う方向（プラグコネクタ６とレセプタクルコネクタ２の嵌合方向「α」に対応）と直交する幅方向「β」（ケーブル３の軸線方向「β」に対応）に延びる、２本の接触片５３ｂ１、５３ｂ２を有する。これらの接触片５３ｂ１、５３ｂ２の自由端側は、内側に折り曲げられて対向折曲部５３ｅ１、５３ｅ２を形成している。接触片５３ｂ１と接触片５３ｂ２の間に形成される空間５３ｄは、相手端子である電源端子８０が挿入される挿入空間として使用される。接触片５３ｂ１、５３ｂ２には、それぞれ、電源端子８０との接点５３ａ１、５３ａ２が形成されている。これらの接点５３ａ１、５３ａ２は、プラグコネクタ６の電源端子８０との接触をより確実にするため、電源端子８０との接触側に向かって多少折り曲げられている。
【００５６】
図９に、プラグコネクタ６の電源端子８０の斜視図を示す。電源端子８０は、金属板を打ち抜き、折り曲げることによって形成される。電源端子８０は、丸みを帯びた小径の本体部８１と、本体部８１に対して、プラグコネクタ６とレセプタクルコネクタ２との嵌合側に形成された接触部８３と、更に、本体部８１に対して接触部８３とは反対側、即ち、プラグコネクタ６とレセプタクルコネクタ２との嵌合側とは反対側に形成された大径部８２を含む。図面からは明らかでないが、本体部８１は、ケーブルの芯線と接続される部分、一方、大径部８２は、ケーブルの外被に圧着させる部分として、それぞれ使用される。
【００５７】
接触部８３は、略板状体として形成されている。略板状体８３は、厚み方向「γ」（ハウジング２０の幅方向「γ」に対応）と、厚み方向「γ」と直交する幅方向「β」（ケーブル３の軸線方向「β」に対応）と、厚み方向「γ」と幅方向「β」の双方と直交する、相手端子である電源端子５０との接触方向「α２」に沿う方向（プラグコネクタ６とレセプタクルコネクタ２の嵌合方向「α」に対応）を有する。このように電源端子８０の接触部８３を略板状体として形成することにより、幅方向「β」を大きくして放熱効果を高めることができ、また、相手端子との接触領域を大きくして、過熱の問題を軽減することもできる。
【００５８】
略板状体８３は、金属板を折り重ねることによって、厚み方向「γ」において多重構造とされているのが好ましい。多重構造とすることにより、略板状体８３の強度を確保し、また、相手端子である電源端子５０との接触幅を調整することができることから相手端子との接触をより確実に行うことができる。更に、金属板を折り重ねる際に板と板の間に空間を形成することによって放熱効果を大幅に高めることができ、略板状体における過熱の問題を効果的に軽減することができる。
【００５９】
図８、９から明らかなように、プラグコネクタ６とレセプタクルコネクタ２の嵌合時、換言すれば、プラグコネクタ６のハウジング６０とレセプタクルコネクタ２のハウジング２０の接続時に、略板状体８３は、厚み方向「γ」における対向面８３Ａ、８３Ｂの双方にて、電源端子５０、特に、その接触片５３ｂ１、５３ｂ２とそれぞれ接触し得る。
【００６０】
図１０の（ａ）に、プラグコネクタ６の平面図を、（ｂ）に、その正面図を、更に、図１１に、図１０の（ａ）におけるXＩ−XＩ線断面図を、図１２に、図１０の（ｂ）におけるＸII−ＸII線の概略断面斜視図とその一部部分拡大図を、更に、図１３に、図１０の（ｂ）における１３−１３断面図を、それぞれ示す。
図１１は、特に、電源ハウジング７０Ａに対する電源端子８０の取り付け状態を示し、図１２は、特に、プラグコネクタ６のハウジング６０と、ハウジング６０に固定される電源ハウジング７０Ａと、更に、電源ハウジング７０Ａに固定される電源端子８０の関係を示す。
【００６１】
電源ハウジング７０Ａは、その前壁に設けた弾性係止片７３Ａを、ハウジング６０の係止突部６２に係止することによって、ハウジング６０の所定位置に係止される。
【００６２】
図１２に示すように、プラグコネクタ６とレセプタクルコネクタ２の嵌合時に、プラグコネクタ６のハウジング６０に設けた電源端子８０の略板状体８３は、当該略板状体８３の幅方向「β」における端部、即ち、「ｄ１」、「ｄ２」で示す領域（図１２、図９において、点線で囲まれた領域）に含まれる端部のうち、幅方向「β」に延びる帯領域「Ｘ」（一点鎖線で囲まれた帯状の領域）に含まれる少なくともいずれかの部分、例えば、図示の例では、段部８３ａにおいて、ハウジング６０によって支持される。ここで、帯領域「Ｘ」は、プラグコネクタ６のハウジング６０とレセプタクルコネクタ２のハウジング２０との接続時における、略板状体８３と電源端子５０との接触部分「ｙ」（図１２、図９において、二点鎖線で囲まれた部分）と、接触方向「α２」に沿う方向「α」において同じ位置に配置され、且つ、接触方向「α２」に沿う方向「α」において接触部分「ｙ」と同じ長さを有する。この構成によれば、略板状態８３のうち、略板状体８３と電源端子５０との接触時に大きな力を加わる部分を、接触方向「α２」においてずれた位置で支持する例えば特許文献１の従来構成に比して、当該部分「ｙ」に近い位置で支持することができ、より安定した状態で略板状体８３をハウジング６０によって支持することができる。
【００６３】
略板状体８３は、段部８３ａに加え、角部８３ｃにおいても支持される。角部８３ｃは、本実施形態では、帯領域「Ｘ」に含まれていないが、段部８３ａと同様に帯領域「Ｘ」に含まれる位置にこれを配置してもよい。他の被支持部である角部８３ｃをこのような位置に配置することにより、略板状体８３を、更に安定した状態で支持することができる。
【００６４】
他の被支持部、例えば、角部８３ｃは、本実施形態に示すように、段部８３ａに対して、接触方向「α２」に沿う方向「α」と幅方向「β２」の双方に関して対向して位置付けられているのが好ましい。角部８３ｃと段部８３ａを、対角位置で支持することにより、より安定した状態で、略板状体８３をハウジング６０によって固定し且つ位置決めすることができる。
【００６５】
また、これら段部８３ａと角部８３ｃは、略板状体８３の厚み方向「γ２」に沿う板厚面８５において、ハウジング６０によって支持されるのが好ましい。板厚面８５を支持することにより、例えば、略板状体８３の厚み方向「γ２」における対向面８３Ａ、８３Ｂだけを支持する場合に比べて、接触方向「α２」に沿う方向「α」における固定及び位置決めをより確実に行うことができる。但し、板厚面８５ではなく、対向面８３Ａ、８３Ｂだけを支持するものであってもよい。
【００６６】
対角に位置する段部８３ａと角部８３ｃのうち、例えば、接触方向「α２」に沿う方向「α」において電源端子５０との接触側と位置する、段部８３ａは、ハウジング６０の中央部７５Ａかによって支持された突部７６Ａと噛み合うことによって固定される。
一方、例えば、電源端子５０との接触側とは接触方向「α２」に沿う方向「α」において反対側に位置する角部８３ｃは、ハウジング６０に設けた弾性支持部７４Ａによって支持されてもよい。
【００６７】
弾性支持部７４Ａは、電源ハウジング７０Ａの本体に接続された支持部７４ａと、支持部７４ａから片持ち梁状に延びる弾性片７４ｂと、片持ち梁の先端に設けた掴み部７４ｃを含む。掴み部７４ｃは、略板状体８３Ａの対向面８３Ａ、８３Ｂの角部８３ｃ付近を、接触方向「α２」に沿う方向「α」と幅方向「β２」の双方において支持するとともに（図１１、１３等参照）、角部８３ｃを、略板状体８３Ａの厚み方向「γ２」において支持する（図１１等参照）。
【００６８】
弾性支持部７４Ａを利用することにより、ハウジング６０との間のガタを減らし、略板状体８３をハウジング６０の所定位置により確実に位置決めすることができる。また、角部８３ｃのように、電源端子５０との接触側とは接触方向「α２」において反対側に位置する部分を、弾性支持部７４Ａによって支持することにより、略板状体８３と弾性支持部７４Ａとの衝突を通じて弾性支持部７４Ａを幅方向「β２」に変位させることができるため、略板状体８３を接触方向「α２」に移動させるだけで、略板状体８３をハウジング６０に容易に取り付けることができる。
【００６９】
図１２に示した接触部分「ｙ」の、接触方向「α２」に沿う方向「α」における長さは、電源端子８０と電源端子５０の有効嵌合長に対応する。略板状体８３に、段部８３ａや角部８３ｃよりも接触方向「α２」に沿う方向「α」において電源端子５０との接触側に更に延びる部分８３ｂを設けることにより、電源端子５０との有効嵌合長をより長く設定してもよい。これにより、電源端子５０との接触をより確実にすることができる。
【００７０】
また、任意であるが、延部８３ｂと段部８３ａとの間に、追加の段部８３ｄを設けるのが好ましい。図１２の一部部分拡大図によく示されるように、このような段部８３ｄを設けることにより、相手側のコネクタ２との接触時に、相手側の端子５０の対向折曲部５３ｅ１、５３ｅ２との衝突を効果的に防ぐことができる。
【符号の説明】
【００７１】
α  接触方向に沿う方向
α２  接触方向
β  幅方向
γ  厚み方向
２  レセプタクルコネクタ
３  ケーブル
６  プラグコネクタ
２０  ハウジング
５０  電源端子
５９  信号端子
６０  ハウジング
７４Ａ  弾性支持部
８０  電源端子
８３  略板状体
８３Ａ、８３Ｂ  対向面
８３ａ  段部
８３ｃ  角部
８５  板厚面
【図１】
2018206502.tif 000003
【図２】
2018206502.tif 000004
【図３】
2018206502.tif 000005
【図４】
2018206502.tif 000006
【図５】
2018206502.tif 000007
【図６】
2018206502.tif 000008
【図７】
2018206502.tif 000009
【図８】
2018206502.tif 000010
【図９】
2018206502.tif 000011
【図１０】
2018206502.tif 000012
【図１１】
2018206502.tif 000013
【図１２】
2018206502.tif 000014
【図１３】
2018206502.tif 000015